(57)【特許請求の範囲】
【請求項１】
単相交流電源の第１電源ラインおよび第２電源ラインに接続され、前記単相交流電源から絶縁トランスを介することなく前記単相交流電源を昇圧および整流する昇圧整流回路と、
前記昇圧整流回路の出力ラインである第１出力ラインと、
前記第１電源ラインまたは前記第２電源ラインに接続される第２出力ラインと、
前記第１出力ラインおよび前記第２出力ラインに接続される電流制限回路と、
を備えた静電型スピーカ用バイアス電源回路であって、
前記昇圧整流回路は、
第１コンデンサと、
該第１コンデンサにカソードが接続され、前記第１電源ラインおよび前記第２電源ラインの間に接続される第１ダイオードと、
前記第１ダイオードのアノードに接続される第２コンデンサと、
前記第２コンデンサにカソードが接続され、前記第１電源ラインおよび前記第２電源ラインの間に接続される第２ダイオードと、
を備え、
前記第１出力ラインは、静電型スピーカのバイアス電圧供給ラインに接続され、
前記第２出力ラインは、ダイナミックスピーカ用駆動アンプからオーディオ信号が供給される第１駆動信号ラインまたは第２駆動信号ラインに接続されることを特徴とする静電型スピーカ用バイアス電源回路。
【請求項２】
単相交流電源の第１電源ラインおよび第２電源ラインに接続され、前記単相交流電源を昇圧および整流する昇圧整流回路と、
前記昇圧整流回路の出力ラインである第１出力ラインと、
前記第１電源ラインまたは前記第２電源ラインに接続される第２出力ラインと、
前記第１出力ラインおよび前記第２出力ラインに接続される電流制限回路と、
を備えた静電型スピーカ用バイアス電源回路であって、
前記昇圧整流回路は、
第１コンデンサと、
該第１コンデンサにカソードが接続され、前記第１電源ラインおよび前記第２電源ラインの間に接続される第１ダイオードと、
前記第１ダイオードのアノードに接続される第２コンデンサと、
前記第２コンデンサにカソードが接続され、前記第１電源ラインおよび前記第２電源ラインの間に接続される第２ダイオードと、
を備え、
前記第１出力ラインは、静電型スピーカのバイアス電圧供給ラインに接続され、
前記第２出力ラインは、ダイナミックスピーカ用駆動アンプからオーディオ信号が供給される第１駆動信号ラインまたは第２駆動信号ラインに接続される
静電型スピーカ用バイアス電源回路。
【請求項３】
前記電流制限回路は、絶縁トランスまたは抵抗器からなる請求項１または請求項２に記載の静電型スピーカ用バイアス電源回路。
【請求項４】
静電型スピーカ用バイアス電源回路と、静電型スピーカと、ダイナミックスピーカと、前記ダイナミックスピーカおよび前記静電型スピーカにオーディオ信号を供給する駆動アンプと、前記静電型スピーカにバイアス電圧を供給するバイアス電圧供給ラインと、前記駆動アンプから前記静電型スピーカにオーディオ信号を供給する第１駆動信号ラインおよび第２駆動信号ラインと、を備えたスピーカ装置であって、
前記静電型スピーカ用バイアス電源回路は、
単相交流電源の第１電源ラインおよび第２電源ラインに接続され、前記単相交流電源から絶縁トランスを介することなく前記単相交流電源を昇圧および整流する昇圧整流回路と、
前記昇圧整流回路の出力ラインである第１出力ラインと、
前記第１電源ラインまたは前記第２電源ラインに接続される第２出力ラインと、
前記第１出力ラインおよび前記第２出力ラインに接続される電流制限回路と、
を備え、
前記昇圧整流回路は、
第１コンデンサと、
該第１コンデンサにカソードが接続され、前記第１電源ラインおよび前記第２電源ラインの間に接続される第１ダイオードと、
前記第１ダイオードのアノードに接続される第２コンデンサと、
前記第２コンデンサにカソードが接続され、前記第１電源ラインおよび前記第２電源ラインの間に接続される第２ダイオードと、
を備え、
前記バイアス電圧供給ラインは、前記第１出力ラインが接続され、
前記第１駆動信号ラインまたは前記第２駆動信号ラインに、前記第２出力ラインが接続されるスピーカ装置。
【請求項５】
請求項１乃至請求項３のいずれかに記載の静電型スピーカ用バイアス電源回路と、
静電型スピーカと、
ダイナミックスピーカと、
前記ダイナミックスピーカおよび前記静電型スピーカにオーディオ信号を供給する駆動アンプと、
前記第１出力ラインが接続され、前記静電型スピーカにバイアス電圧を供給するバイアス電圧供給ラインと、
前記駆動アンプから前記静電型スピーカにオーディオ信号を供給する第１駆動信号ラインおよび第２駆動信号ラインと、
を備え、前記第１駆動信号ラインまたは前記第２駆動信号ラインに、前記第２出力ラインが接続されるスピーカ装置。
【請求項６】
前記単相交流電源の前記第１電源ラインおよび前記第２電源ラインは、さらに前記駆動アンプに接続される請求項４または請求項５に記載のスピーカ装置。
【請求項７】
前記ダイナミックスピーカに供給するオーディオ信号と、前記駆動アンプに供給するオーディオ信号と、の帯域を分割する帯域分割部を備えた請求項４乃至請求項６のいずれかに記載のスピーカ装置。
【発明の詳細な説明】
【技術分野】
【０００１】
本発明は、静電型スピーカにバイアス電圧を供給する静電型スピーカ用バイアス電源回路、および当該静電型スピーカ用バイアス電源回路を備えたスピーカ装置に関する。
【背景技術】
【０００２】
特許文献１には、固定極と可動極を備える静電型スピーカと、駆動回路と、が開示されている。特許文献１に記載の駆動回路は、可動極に駆動信号を供給する信号ラインに、直流の高電圧電源（バイアス電源）が接続されている。これにより、特許文献１に記載の駆動回路は、可動極と固定極との間に所定のバイアス電圧を供給する。
【０００３】
また、特許文献２には、コンデンサヘッドホンと、駆動回路と、が開示されている。特許文献２に記載の駆動回路は、コンデンサヘッドホンに供給するバイアス電圧を発生する昇圧回路を備える。昇圧回路は、直流電源に接続されている。昇圧回路は、直流電源からの直流電圧を昇圧してバイアス電圧を生成し、コンデンサヘッドホンに供給している。
【先行技術文献】
【特許文献】
【０００４】
【特許文献１】特開２００１−１９７５９６号公報
【特許文献２】特開２００６−０４１５６９号公報
【発明の概要】
【発明が解決しようとする課題】
【０００５】
静電型スピーカのバイアス電源は、高圧（例えば１０００Ｖ程度）の直流電源が必要である。したがって、バイアス電源回路は、低圧（例えば１００Ｖまたは２００Ｖ）の単相交流電源から、高圧の直流電源を得るために、絶縁トランス、整流回路、およびＤＣ−ＤＣコンバータを設ける必要がある。しかし、１０００Ｖ程度の高圧の直流電源を得るためには、絶縁トランスおよびＤＣ−ＤＣコンバータの体積が大きく、かつ重くなる。そのため、従来のバイアス電源回路は、薄いことおよび軽いことが特徴である静電型スピーカに内蔵するには不適であった。
【０００６】
本発明は、静電型スピーカに適したバイアス電源回路およびスピーカ装置を提供することを目的とする。
【課題を解決するための手段】
【０００７】
この発明の静電型スピーカ用バイアス電源回路は、第１電源ラインと、第２電源ラインと、前記第１電源ラインおよび前記第２電源ラインの間に接続され、単相交流電源を昇圧および整流する昇圧整流回路と、前記昇圧整流回路の出力ラインである第１出力ラインと、前記第１電源ラインまたは前記第２電源ラインに接続される第２出力ラインと、前記第１出力ラインおよび前記第２出力ラインに接続される電流制限回路と、を備えている。
【０００８】
このように、昇圧整流回路は、１００Ｖまたは２００Ｖの単相交流電源から直接、高圧（例えば１０００Ｖ程度）の直流電源を生成する。したがって、ＤＣ−ＤＣコンバータは不要であり、薄型かつ軽量の静電型スピーカに適したバイアス電源回路とすることができる。
【０００９】
また、本発明の静電型スピーカ用バイアス電源回路は、単相交流電源から直接、高圧の直流電源を生成するものの、第１出力ラインおよび第２出力ラインに接続された電流制限回路で電流値を制限するため、感電を防止することもできる。静電型スピーカは、１０００Ｖ程度の高圧のバイアス電源が必要であるが、非常に低い電流値（例えば０．１ｍＡ以下）でも十分駆動させることができる。したがって、静電型スピーカ用バイアス電源回路は、感電防止のために電流制限回路において電流値を著しく低減させることが可能である。
【００１０】
なお、電流制限回路は、絶縁トランスまたは抵抗器を用いる。抵抗器を用いる場合には、絶縁トランスも不要となるため、より小型化かつ軽量化することができる。絶縁トランスを用いる場合には、供給電圧の調整が容易となる。
【発明の効果】
【００１１】
この発明によれば、静電型スピーカに適したバイアス電源回路を実現することができる。
【図面の簡単な説明】
【００１２】
【図１】スピーカ装置の構成を示すブロック図である。
【図２】バイアス電源回路の回路図である。
【図３】接続用回路の回路図および静電型スピーカの構成図である。
【図４】応用例１に係るスピーカ装置の構成を示すブロック図である。
【図５】接続用回路の回路図および静電型スピーカの構成図である。
【図６】応用例２に係るスピーカ装置の構成を示すブロック図である。
【図７】応用例２に係るスピーカ装置の構成を示すブロック図である。
【発明を実施するための形態】
【００１３】
図１は、スピーカ装置の構成を示すブロック図である。図２は、バイアス電源回路の回路図であり、図３は、接続用回路の回路図および静電型スピーカの構成図である。
【００１４】
スピーカ装置１は、バイアス電源回路２５、アンプ２９、およびスピーカユニット１０を備えている。スピーカユニット１０は、接続用回路２７および静電型スピーカ１００を備えている。接続用回路２７には、バイアス電源回路２５、アンプ２９、および静電型スピーカ１００が接続されている。バイアス電源回路２５は、単相交流電源に接続されている。
【００１５】
バイアス電源回路２５は、図２に示すように、抵抗器５０、抵抗器５１、抵抗器８０、および昇圧整流回路６０を備えている。
【００１６】
昇圧整流回路６０の一方端（入力側）は、第１電源ラインＶＬ１および第２電源ラインＶＬ２が接続されている。昇圧整流回路６０の他方端（出力側）は、抵抗器５０が接続されている。第１電源ラインＶＬ１および第２電源ラインＶＬ２は、単相交流電源に接続された電源ラインである。
【００１７】
第１電源ラインＶＬ１は、抵抗器８０を介して昇圧整流回路６０に接続されている。第２電源ラインＶＬ２は、昇圧整流回路６０および抵抗器５１にそれぞれ接続されている。なお、抵抗器８０は、必須の構成ではない。
【００１８】
昇圧整流回路６０は、８つのコンデンサ（コンデンサ３１，３２，３３，３４，３５，３６，３７，３８）および８つのダイオード（ダイオード４１，４２，４３，４４，４５，４６，４７，４８）を備えている。
【００１９】
第１コンデンサであるコンデンサ３１、および第１ダイオードであるダイオード４１、からなる直列回路は、第１電源ラインＶＬ１と第２電源ラインＶＬ２との間に接続されている。コンデンサ３１の一方端は、第１電源ラインＶＬ１に接続され、他方端は、ダイオード４１のカソードに接続されている。ダイオード４１のアノードは、第２電源ラインＶＬ２に接続されている。
【００２０】
また、第２コンデンサであるコンデンサ３２、および第２ダイオードであるダイオード４２、からなる直列回路は、ダイオード４１に並列接続されている。コンデンサ３２の一方端は、第２電源ラインＶＬ２およびダイオード４１のアノードに接続されている。コンデンサ３２の他方端は、ダイオード４２のカソードに接続されている。ダイオード４２のアノードは、ダイオード４１のカソードに接続されている。
【００２１】
第２電源ラインＶＬ２側が第１電源ラインＶＬ１側よりも高電位の時、ダイオード４１は導通状態となり、コンデンサ３１が充電される。コンデンサ３１には、単相交流電源の電圧（１００Ｖｒｍｓ）の波高値（４１Ｖ）が充電される。一方で、第１電源ラインＶＬ１側が第２電源ラインＶＬ２側よりも高電位の時、ダイオード４２が導通状態となり、コンデンサ３２が充電される。コンデンサ３２には、コンデンサ３１に充電された電圧に対してさらに単相交流電源の波高値（１４１Ｖ）が加算される。したがって、コンデンサ３２に充電される電圧は、単相交流電源の電圧の約２．８（１．４×２）倍の電圧となる。
【００２２】
以下、同様にして、昇圧整流回路６０は、８つのコンデンサ（コンデンサ３１，３２，３３，３４，３５，３６，３７，３８）および８つのダイオード（ダイオード４１，４２，４３，４４，４５，４６，４７，４８）により、単相交流電源の電圧を、上記波高値（１４１Ｖ）の約８倍の直流電圧に昇圧および整流する。よって、昇圧整流回路６０に入力された交流電圧は、約８倍の直流電圧（１１２８Ｖ）に変換される。
【００２３】
なお、この例では、バイアス電源回路２５は、８つのコンデンサ（コンデンサ３１，３２，３３，３４，３５，３６，３７，３８）および８つのダイオード（ダイオード４１，４２，４３，４４，４５，４６，４７，４８）により、単相交流電源から約８倍の電圧の直流電源を得る態様を示しているが、コンデンサおよびダイオードの数を変更することにより、所望の直流電圧を得ることができる。
【００２４】
図３に示すように、昇圧整流回路６０の第１出力ラインＯＬ１は、接続用回路２７のバイアス電圧供給ラインＳＬ２０に接続される。また、第２電源ラインＶＬ２に接続された第２出力ラインＯＬ２は、アンプ２９からオーディオ信号が供給される第２駆動信号ラインＳＬ２２（または第１駆動信号ラインＳＬ２１）に接続される。
【００２５】
ただし、図２に示したように、昇圧整流回路６０の第１出力ラインＯＬ１には、抵抗器５０が接続され、第２電源ラインＶＬ２である第２出力ラインＯＬ２には、抵抗器５１が接続されている。そのため、バイアス電源回路２５の第１出力ラインＯＬ１および第２出力ラインＯＬ２に流れる電流値は抵抗器５０および抵抗器５１により制限される。抵抗器５０および抵抗器５１の抵抗値は、電流値が感電防止に十分な程度（例えば０．１ｍＡ以下）になるように設定される。
【００２６】
図３に示すように、接続用回路２７は、バイアス用コンデンサ６５、抵抗器７１、抵抗器７２、および抵抗器９０を備えている。また、静電型スピーカ１００は、可動電極１１０、第１固定電極１２１、および第２固定電極１２２を備えている。
【００２７】
可動電極１１０、第１固定電極１２１、および第２固定電極１２２は、平膜状の電極である。可動電極１１０、第１固定電極１２１、および第２固定電極１２２は、駆動信号が供給されていない状態において、それぞれの平膜面が平行になるように配置されている。可動電極１１０は、第１固定電極１２１と第２固定電極１２２との間に配置されている。
【００２８】
抵抗器７１および抵抗器７２は、アンプ２９からオーディオ信号が供給される第１駆動信号ラインＳＬ２１と第２駆動信号ラインＳＬ２２との間に接続されている。抵抗器７１と抵抗器７２は、同じ抵抗値であることが望ましい。なお、第１駆動信号ラインＳＬ２１および第２駆動信号ラインＳＬ２２には、直列抵抗を接続することが望ましい。これにより、アンプ２９の発振を防止するとともに電流値を制限することができる。ただし、抵抗値は、オーディオ信号の高域への影響および発熱の影響を考慮して、例えば数１００Ω〜１ＫΩ程度であることが望ましい。
【００２９】
バイアス電圧供給ラインＳＬ２０は、抵抗器７１と抵抗器７２との接続点に接続されている。バイアス電圧供給ラインＳＬ２０は、抵抗器９０を介して、静電型スピーカ１００の可動電極１１０に接続されている。
【００３０】
バイアス用コンデンサ６５は、バイアス電源回路２５から供給される直流電源によって充電される。これにより、バイアス用コンデンサ６５の両端には、単相交流電源の約８倍の電位差が発生する。
【００３１】
したがって、可動電極１１０と第１固定電極１２１との間、および可動電極１１０と第２固定電極１２２との間に、単相交流電源の約８倍の直流電圧（バイアス電圧）が印加される。
【００３２】
以上のような構成により、バイアス電源回路２５は、絶縁トランスおよびＤＣ−ＤＣコンバータを設けることなく、高圧のバイアス電圧を生成し、静電型スピーカ１００をプッシュプル駆動させることができる。
【００３３】
また、バイアス電源回路２５は、単相交流電源から直接、高圧の直流電源を生成する。しかし、電流値は、第１出力ラインＯＬ１および第２出力ラインＯＬ２に接続された抵抗器５０および抵抗器５１により、著しく制限される（例えば０．１ｍＡ以下に制限する）ため、利用者が接地ラインに触れたとしても感電のおそれはない。静電型スピーカ１００は、１０００Ｖ程度の高圧のバイアス電圧が必要ではあるが、電流値が１ｍＡ以下であってもバイアス用コンデンサ６５を充電して、可動電極１１０を駆動させるには十分であり、必要な音圧を得ることができる。
【００３４】
よって、バイアス電源回路２５は、薄型の静電型スピーカ１００に適したバイアス電源回路となる。
【００３５】
また、スピーカ装置１では、バイアス電源回路２５が単相交流電源から高圧のバイアス電圧を生成するため、アンプ２９は、一般的なダイナミックスピーカ用（オーディオ用）のローインピーダンスアンプ（例えば２〜１６Ω程度のアンプ）を用いることができる。
【００３６】
なお、上述の実施形態では、電流制限回路の例として、第１出力ラインＯＬ１および第２出力ラインＯＬ２に抵抗器を接続する態様を示したが、例えば接続用回路２７とアンプ２９との間（オーディオ信号が供給されるライン）に絶縁トランスを挿入する態様であってもよい。ただし、絶縁トランスを挿入する場合、バイアス電源回路２５、接続用回路２７、および静電型スピーカ１００は、絶縁されたエンクロージャで覆うことが好ましい。絶縁トランスを挿入する態様では、当該絶縁トランスの巻線比を調整することで、オーディオ信号の電圧を調整することができる。一般的に、ハイインピーダンス用のアンプの出力電圧（７０Ｖまたは１００Ｖ程度）に比べて、ローインピーダンス用のアンプの出力電圧は低い（例えば数１０Ｖ程度）が、絶縁トランスを挿入することでオーディオ信号を昇圧することができるため、より大きな音を再生することができる。
【００３７】
なお、単相交流電源は、第１電源ラインＶＬ１がＡＣ１００Ｖであり、第２電源ラインＶＬ２がアースとなっている場合と、第１電源ラインＶＬ１がアースであり、第２電源ラインＶＬ２がＡＣ１００Ｖとなっている場合と、がある。すなわち、接続の極性（コンセントの接続の向き）により、第１電源ラインＶＬ１がＡＣ１００Ｖとなる場合と、第２電源ラインＶＬ２がＡＣ１００Ｖとなる場合がある。
【００３８】
第１電源ラインＶＬ１がＡＣ１００Ｖとなっている場合、昇圧整流回路６０の出力には、ＡＣ１００Ｖが重畳されることになるが、抵抗５０およびコンデンサ６５により構成される高域阻止フィルタによって交流成分が除去される。したがって、昇圧整流回路６０の出力は、ほぼ直流成分のみとなる。一方で、第１電源ラインＶＬ１がアースとなっている場合、ＡＣ１００Ｖが重畳されることがないため、昇圧整流回路６０の出力は当然に直流電圧となる。なお、第２信号ラインＶＬ２のＡＣ１００Ｖは、接続用回路２７において信号ラインＳＬ２２に接続され、第２抵抗７１および抵抗７２の中点に印加されることになるが、バイアス電源回路２５における抵抗５１および接続用回路２７におけるコンデンサ６５が高域阻止フィルタとして機能するため、この場合も、交流成分は除去される。したがって、バイアス電源回路２５は、接続の極性依存性はない。
【００３９】
次に、図４は、応用例１に係るスピーカ装置１Ａの構成を示すブロック図である。図５は、接続用回路の回路図および静電型スピーカの構成図である。図１および図３で示した構成と同じ構成については同一の符号を付し、説明を省略する。
【００４０】
スピーカ装置１Ａは、スピーカ装置１の構成に加えて、ダイナミックスピーカ２００を備えている。ダイナミックスピーカ２００は、接続用回路２７Ａを介してアンプ２９に接続されている。
【００４１】
接続用回路２７Ａは、アンプ２９から入力されるオーディオ信号を分岐し、ダイナミックスピーカ２００に供給する。このように、スピーカ装置１Ａは、ダイナミックスピーカ用のアンプ２９を、静電型スピーカ１００のアンプとして兼用する。
【００４２】
なお、アンプ２９とダイナミックスピーカ２００を直接接続する態様であってもよい。この場合、接続用回路２７Ａにおいてオーディオ信号の分岐は不要である（すなわち、図３に示した接続用回路２７と同じ回路となる）。
【００４３】
次に、図６（Ａ）は、応用例２に係るスピーカ装置１Ｂの構成を示すブロック図である。この例では、スピーカユニット１０Ａは、静電型スピーカ１００、ダイナミックスピーカ２００、および接続用回路２７Ａを備えている。図４および図５に示したスピーカ装置１Ａとの違いは、スピーカユニット１０Ａは、静電型スピーカ１００、ダイナミックスピーカ２００、および接続用回路２７Ａが一体となったスピーカユニット１０Ａとなっている点である。
【００４４】
また、図６（Ｂ）に示すスピーカ装置１Ｃのように、静電型スピーカ１００、ダイナミックスピーカ２００、接続用回路２７Ａ、バイアス電源回路２５、およびアンプ２９がスピーカユニット１０Ｂとして一体となったスピーカユニット１０Ｃを構成してもよい。これにより、バイアス電源回路２５のための単層交流電源を、アンプ２９の単相交流電源と兼用することができる。したがって、バイアス電源回路２５には、単層交流電源の接続端子を別途設ける必要がない。
【００４５】
また、図７に示すスピーカ装置１Ｄのように、アンプ２９の後段に、帯域分割部であるネットワーク回路２０５を備えた態様としてもよい。図７に示すネットワーク回路２０５は、アンプ２９から供給されるオーディオ信号の帯域を分割し、接続用回路２７およびダイナミックスピーカ２００にそれぞれ供給する。ネットワーク回路２０５は、高域側を接続用回路２７に供給し、低域側をダイナミックスピーカ２００に供給する。
【００４６】
なお、図７に示すスピーカユニット１０Ｃにおいて、電流制限回路の例として、抵抗器ではなく絶縁トランスを挿入する態様である場合、当該絶縁トランスは、ネットワーク回路２０５と接続用回路２７との間に接続される。あるいは、絶縁トランスは、アンプ２９とネットワーク回路２０５の間に接続されてもよい。
【００４７】
上述したように、絶縁トランスを用いる場合には、巻線比を調整することで、バイアス電圧を調整することができる。そのため、絶縁トランスを備えた態様は、図４乃至図７に示した態様において、静電型スピーカ１００とダイナミックスピーカ２００との音圧比を調整することが容易となる。同じレベルのオーディオ信号を供給する場合であっても、バイアス電圧を高くした場合には、静電型スピーカ１００の音圧は高くなり、バイアス電圧を低くした場合には、静電型スピーカ１００の音圧は低くなる。
【００４８】
また、電流制限回路として絶縁トランスを用いる態様、抵抗器を用いる態様、のいずれの場合であっても、可動電極１１０と第１固定電極１２１とのギャップ、および可動電極１１０と第２固定電極１２２とのギャップを調整することで、静電型スピーカ１００とダイナミックスピーカ２００との音圧比を調整することができる。同じレベルのオーディオ信号を供給する場合であっても、ギャップを小さくした場合には、静電型スピーカ１００の音圧は高くなり、ギャップを大きくした場合には、静電型スピーカ１００の音圧は低くなる。なお、低域の音は、主にダイナミックスピーカ２００により出力されるため、ギャップを小さくして静電型スピーカ１００から出力される低域の音圧が低くなったとしても問題はない。
【００４９】
また、オーディオ信号のレベルを低減するアッテネータを挿入することでも、静電型スピーカ１００とダイナミックスピーカ２００との音圧比を調整することができる。
【符号の説明】
【００５０】
ＯＬ１…第１出力ライン
ＯＬ２…第２出力ライン
ＳＬ２０…バイアス電圧供給ライン
ＳＬ２１…第１駆動信号ライン
ＳＬ２２…第２駆動信号ライン
ＶＬ１…第１電源ライン
ＶＬ２…第２電源ライン
１，１Ａ，１Ｂ，１Ｃ，１Ｄ…スピーカ装置
１０１０Ａ，１０Ｂ，１０Ｃ…スピーカユニット
２５…バイアス電源回路
２７，２７Ａ…接続用回路
２９…アンプ
３１，３２，３３，３４，３５，３６，３７，３８…コンデンサ
４１，４２，４３，４４，４５，４６，４７，４８…ダイオード
５０，５１，７１，７２，８０，９０…抵抗器
６０…昇圧整流回路
６５…バイアス用コンデンサ
１００…静電型スピーカ
１１０…可動電極
１２１…第１固定電極
１２２…第２固定電極
２００…ダイナミックスピーカ
２０５…ネットワーク回路
【図１】
0006750232.tif 000002
【図２】
0006750232.tif 000003
【図３】
0006750232.tif 000004
【図４】
0006750232.tif 000005
【図５】
0006750232.tif 000006
【図６】
0006750232.tif 000007
【図７】
0006750232.tif 000008